(57)【要約】  本発明は、１、２又は数個のツイスト（２１ａ）又は並行（２１）コンダクタを有する１つのインダクタを用い、２つ目の一定強度の磁界を用いる必要なく、パルス及び減衰交番磁界Ｂにサンプル（２４）をさらす。このように、サンプル対象物（２４）の核及び電子（２５）は、一定でない磁界Ｂの存在で、活性化される。この磁界Ｂは、連続して減衰した正及び負の値の間で、磁気パルスの間でゼロ値を交差して、無限の負及び正の値を得る。したがって、サンプル（２４）の幅広い核のＮＭＲ及び電子のＥＰＲ多重共鳴が達成される。【選択図】  図５
2007526991.tif 000002
【特許請求の範囲】
【請求項１】
地球の磁界の存在で１つの磁界（図４ａ４ｂ（２３））を使用し、
１つのインダクタに設けられる１、２又は数個のツイスト（図３ｂ（２１ａ））又は並行（図３ａ（２１））コンダクタが、半導体及び／又はその他のタイプの電子配列を使用可能である電子スイッチ配列（図２ａ（１４））、又はプラズマスイッチ（図２ｂ（１４））などのその他の同等のスイッチによって供給され、
できるだけ少ない自己誘導が＜１０μＨであり、大きく急な電流が＞１００００Ａであり、小さな全持続時間＜０．１ｍｓである方法であって、次のいずれかを引き起こすことを特徴とする方法：
Ｉ  核磁気多重共鳴及び核反応の開始の可能性がある掲示物の原子（図４ａ、４ｂ（２４））及び（図５（２６）、（２７）、（２８））の原子核（図４ｂ（２５））の活性化。
ＩＩ  電子常磁性共鳴及び化学変化の開始の可能性がある掲示物の原子（図４ａ、４ｂ（２４））及び（図５（２６）、（２７）、（２８））の電子（図４ｂ（２５））の活性化。
ＩＩＩ  上記したものの全ての可能な組合せであり、内容によるエネルギーの吸収が全体的な特性として存在し、結果としてそれらの前の状態から変化するもの。
ＩＶ  電流の生成か否かに伴う原子、核（図４ｂ（２５））、電子（図４ｂ（２５））、イオン、電荷の振動又は移動運動。
【請求項２】
上記した請求項１の方法のより好ましい構成であって、１、２又は数個のツイスト（図３ｂ（２１ａ））又は並行（図３ａ（２１））コンダクタを有するインダクタからなることを特徴とする方法。
【請求項３】
適切な電源（図１（２）、（４））から電力が供給され帰属能力があるコンデンサ蓄積部（図２ａ、２ｂ（７））が、電子スイッチ配列（図２ａ（１４））又はプラズマスイッチ（図２ｂ（１４））などのその他の同等のスイッチに接続され、このスイッチは適切な作動又は自動作動が可能であり、その中に電気伝導性が引き起こされ、この電気伝導性がとても強力で（電子スイッチ配列（図２ａ（１４））又はプラズマスイッチ（図２ｂ（１４））などのその他の同等のスイッチの）特徴を示して生成され、
電気振動が導入されるインダクタが１、２又は数個のツイスト（図３ｂ（２１ａ））又は並行（図３ａ（２１））のコンダクタを有し、
磁界（図４ａ、４ｂ（２３））振動を交番する減衰波とともに物質（図４ａ、４ｂ（２４））、生物物質、人体又は動物体にさらし、
次の結果物のいずれかを備えることを特徴とする装置：
核磁気多重共鳴（図５（２６）、（２７）、（２８））、
電子常磁性多重共鳴（図５（２６）、（２７）、（２８））、
原子、核（図４ｂ（２５））、電子（図４ｂ（２５））、イオン、電荷などの振動又は移動運動（これらは請求項１で述べた）。
【請求項４】
前記方法及び装置の変形であって、
地球の環境磁界とともに起因し、又は部分的又は全体的に置換する第２誘導電磁界を用い、
その装置は、電子スイッチ配列（図２ａ（１４））又はプラズマスイッチなど（図２ｂ（１４））のその他の同等のスイッチによって請求項１に特徴付けられた場を生成し、それは、電子スイッチ配列（図２ａ（１４））又はプラズマスイッチ（図２ｂ（１４））などのその他の同等のスイッチの特徴的な振動を、脈動・減衰波の磁界（図４ａ、４ｂ（２３））のために、請求項１及び３に述べられた生成物、及び全体的に工業的又は非工業的な生産物とともに、ＮＭＲ及びＥＰＲ多重共鳴（図５（２６）、（２７）、（２８））に基づいて、用いることを特徴とする方法及び装置。
【発明の詳細な説明】
【背景技術】
【０００１】
（序説）
原子の原子核の核磁気共鳴（ＮＭＲ）及び原子の電子の電子常磁性共鳴（ＥＰＲ）の方法では、それぞれ２つの幾何学的な垂直磁界が使用される。それらのうち１つの強度は一定であり、通常、ＮＭＲイメージにおいて２テルサのオーダーである。
【０００２】
２つ目の磁界の強度はパルス化され、その目的はすでに配向された一定の磁界の原子核（又は電子）の方向を変換するものであり、それは以前の状態を復帰させて、吸収されたエネルギーを放射状の電磁気エネルギーの形で放出する。前述の電磁気エネルギーの周波数は実際の一定の磁界の強度Ｂに依存し、ΔＥ＝ｈν＝γＢｈ／２πであり、音響周波数帯からマイクロ波帯までである。参照、W. Atkins Physical Chemistry Book, Oxford University Press, 1994, 第５版, p. 625。
【０００３】
核磁気共鳴の２つの主な用途は、ＮＭＲ分光及び磁気共鳴（核磁気共鳴イメージＮＭＲＩ又はより広義にはＭＲＩとして知られる）であり、別名医学の分野で磁気診断トモグラフィーとして知られる。核磁気共鳴の技術では、サンプルは一定の強度Ｂの磁界に配置され、２つ目の磁界のパルスにさらされる。パルス放出の中止の後、反応エコーがサンプルから記録され、分析される。参考文献：Nuclear Physics K.Alexopoulos, Athens 1967, Magnetism in Medicine, edited by Andra and Nowak, Wiley 1998, Scientific American, February 1968。
【０００４】
（ジャイロの歳差運動の現象）
ジャイロスコープ用のジャイロの歳差運動の現象を引き起こす偏心力は、それでも完全な再配向を達成しない。ジャイロスコープが空間中で全体的な方向を維持するために、それはその開始方向の軸周りの歳差運動に従う。したがって、平均では、ジャイロスコープはその回転軸のオリジナルな方向を維持する。この現象を「ジャイロスコープの自然な最差運動」と称する。
【０００５】
一般的に、電子及び陽子はジャイロスコープである。すなわち、それらは角度モーメントＪ及び磁気モーメントＭ、スピンを有し、明確にはそれらは磁石である。それらは、閉じた電流、ループの環状のジャイロスコープ（円軌道）とみなされ、角度モーメントＪ及び磁気モーメントＭを有する。また、それらは電荷ｑ＝＋／−と質量ｍを有し、すなわち、ｍ、ｑ、Ｊ、Ｍによって特徴づけられ、電気及び磁気回転ジャイロスコープとしてみなされる。
【０００６】
ジャイロの最差運動の周波数は、通常、それらの回転の周波数よりも極めて小さい。これは、陽子−電子の最差運動の周波数にもあてはまる。陽子と電子が最差運動するときに、上述したように、それらは、比較的低周波数のラジオ波を放出可能であり、最差運動なしで、それらのオリジナル（スピン）に戻ることができる。ラジオ波を中心とした磁気共鳴はＮＭＲとＥＰＲ由来であり、ＮＭＲを中心としたＮＭＲＩは診断目的で医学の分野で用いられる。明らかに、磁界又は磁気パルスが突然存在した後に、他の回復した磁界が存在する中で、陽子−電子回転磁気ジャイロスコープは非常に簡単に妨害され、最差運動を受けるようになることが可能である。この観察は以下に説明する本発明の中心になる。
【発明の開示】
【０００７】
本発明の第１の基本的な目的は、ＮＭＲ及びＥＰＲ多重共鳴である。この目的を達成するために、それは、既知の方法のＮＭＲ及びＥＰＲの２つの磁界に代えて、ツイスト又は並行のコンダクタの１、２又は数個のターンのコイルを有する１つのみのインダクタ（コイル）を用いる。したがって、２つ目の一定強度Ｂの磁界を用いないで、サンプルをパルス及び減衰波交番磁界Ｂにさらす。したがって、地球の磁界の存在で、また一定でない磁界Ｂの存在で、サンプル対象物の核及び電子を活性化する。磁界Ｂは、それぞれの磁気パルスの間（１０から５０マイクロ秒の周囲で）、最大の正の絶対値とゼロの強度の間で、無限の負及び正の値を繰り返す。
【０００８】
このように、サンプルの幅広い核のＮＭＲ及び電子のＥＰＲ多重共鳴は達成され、法則：ΔＥ＝ｈν＝γＢｈ／２πに従う。参照、W. Atkins Physical Chemistry Book, Oxford University Press, 1994, 第５版, p. 625。Ｂは変数であり、Ｂは地球場の磁界、適用されるコイルの減衰振動の結果である。
【０００９】
生物物質での磁気パルスの効果は、有機物の細胞の外側及び周囲にあり、一般的に医学界で知られている。本発明者の先の発明001784/6/21995/OBIと同様に、本発明は、ＮＭＲ、ＥＰＲを達成することができ、また、有機又は無機物質の中、生物物質の中、又はあらゆる種類の物質の中で、電荷、イオン濃度又は具体的な原子を誘導することができる。これらの物質の中には、移動可能な電荷又は原子が存在し、しかしながら、そのために、細胞膜の両面に存在する高いポテンシャル障壁を超えるために、例外的に高い起動力が必要とされる。
【００１０】
上述したように、本発明は多重ＮＭＲ及びＥＰＲを引き起こすことも可能である。
【００１１】
本方法に用いられるデバイスは、地球の環境磁界が存在するか否かで、電子又は例えばプラズマスイッチなどその他の同等のスイッチ配列である導電性スイッチの電子配列による放電を活用して減衰磁界を生成する。このスイッチ配列は、任意の「外部」の手段、すなわちトリッガー配列のソートによって、又は自動作動のアバランシェ効果によって適切に作動可能である。
【００１２】
さらされた方法及びデバイスによって生成される減衰磁界は、特徴的な最大瞬時電力と非常に小さな一時的な時間を有する。これは、大容量の電気配列に、また同時に小さな自己誘発に起因し、ほとんどゼロのアウトプットをロードする。
【００１３】
また、減衰した交番磁界を使用すると、電磁流量を交番するソースの開始電圧への大きさのオーダーにほとんど等しく、単一表面ループ又はボリューム（１ターンコイルの誘導）で誘導電圧が引き起こされる。
【００１４】
上述した大きさと同程度となる距離から上述した結果を達成し、実際に実施可能とするために、本方法によって用いられるスイッチの配列は、半導体又はプラズマ振動のようなプラズマ放電スイッチの既知のタイプから任意のタイプとすることができる。このプラズマ振動は、この目的のために用いられ、多様なガスを通じて電気放電で観察される。これについては先の発明で報告されている。
【００１５】
この新しい方法は、誘導による医学の分野での電流の供給のためにも理想的である。ここでは、電極を接触させるために、必然的な侵入又は手術のいくつかの形の必要がなく、電気回路が細胞領域の間で形成可能である。核磁気共鳴（ＮＭＲ）の現象のため、これは原子核の活性化にも適する。原子の電子では電子常磁性共鳴ＥＰＲの現象のためであり、それは生物の核変換を導くことができる。参照、Louis Kervran Biological Transmutations0 1972 Swan House Publishing Co。
【００１６】
この方法は、たとえ生地で覆われていても、物理的な接触の必要がなく適用される。また、それは、使用される強度レベルとの精密な比例を形成することができる。それは、磁界が遠くから、特に生物組織を通じて作用することができるためである。
【００１７】
磁界は化学反応の触媒作用をなすことができるということも観察されている。次の書誌報告を参照。
M. YAOITA, T. WADA など, Electrochemical study of enzymatic reaction of glucose oxidase in magnetic fields Abstract:17th ann Mtg. BEMS, Boston, Mass. , June 1995。
W. HABERDITZL Enzyme activity in High magnetic fields. Nature 7 January 1967, p73 (1967)。
A. S. M.I. NAZAR, a PAUL など, Frequency dependent alteration of enolase activity by electric, magnetic and combined EM ELF Fields Abstract: 1. 7th Annual Mtg. BEMS BostonMass, June 1995。
S. COMOROSAN, S. VIERU & P. MURGOCI The effect of electromagnetic field on enzymic substrates.Biochim. Biophys. Acta. 268,620-621. 1972)。
E. S. COOK & M. J. SMITH Increase in Trypsin activity in Biological Effects of magnetic fields, pp246-254, Plenum Press, NY, 1964。
【発明を実施するための最良の形態】
【００１８】
本方法は、特定の原子、原子核、イオン又は電荷の活性化、特定化学物質の化合物の形成、核変換、（例えばケルブランによるもの）が必要とされるときはいつでも、直接的な電気接触の必要なくその他の多様なアプリケーションを有する。すなわち、さもなければ発生しないか、又は非常にゆっくりなリズムで進行する潜在的な化学又は核反応を維持し、加速し、又は開始する距離から触媒反応又は活性化（核）の進行をさせる。
【００１９】
本方法の実施の形態は次のいわゆるＰＡＰＩＭＩデバイスのサンプルによって明らかになる。（ＰＡＰＩＭＩはPappas Ion Magnetic Inductionの略語である）デバイスは、図１、２ａ、２ｂ、３ａ、３ｂ、４ａ、４ｂ、５に図示される。ＰＡＰＩＭＩデバイスは、好ましくは（地球の）環境磁界に垂直な軸に固定されたその固定誘導コイル（２１）、（２１ａ）とともに、地球の環境磁界内で操作する。そして、ＰＡＰＩＭＩデバイスは、制御ユニット（図１（２））に２３０ボルト、５０／６０Ｈｚの電力を供給する電源コード（図１（１））と、ユニット（図１（４））からの３０キロボルトの出力トランスを調整するスイッチ、タイマースイッチ及びスイッチとを有する。このユニット（図１（４））は高電圧線（図１（３））を経由してユニット（図１（２））の高圧のアウトプットに接続される。図１のユニット（４）は、トランスの高電圧を整流する。高圧が高圧線（図１（５））を経由してチャージし、Ａ及びＢエネルギー蓄積部（図２ａ、２ｂ（７））に接触する。それは、０．０５μＦのコンデンサであり、５０ジュールエネルギーの蓄積容量であり、放電がかなり速い。それは結果としてギガワットのオーダーの高出力の放電となる。エネルギー蓄積部は、高電圧及び大電流の容量線（図２ａ、２ｂ（６Ａ））を介して、電子スイッチ配置（図２ａ（１４））、又はその他の同等のスイッチ、例えばプラズマ放電スイッチなど（図２ｂ（１４））と接続する。
【００２０】
特にこのスイッチ配列（図２ａ、２ｂ（１４））は、次のいずれかの適当な電子配列で構成される。
【００２１】
ａ）  一以上の半導体成分のスイッチ（１４）は接続ボックス（図２ａ（１６））の２つのリード線のうち１つに接続される。接続ボックス（図２ａ（１６））の１つのターミナルはエネルギー蓄積部（図２ａ（７））と、大電流及び強度の線（図２ａ（６Ｂ））を介して接続される。線６Ａはエネルギー蓄積部（図２ａ（７））の他のターミナルを前述の半導体成分のスイッチ（１４）の他端に容量性のエネルギー蓄積バンクに向けて接続する。容量性のエネルギー蓄積バンクは、接続ポイント（Ａ）及び（Ｂ）を通るリード線（５）を介して、高圧電源ユニットに接続される。インダクタ（図２ａ、３ａ、３ｂ（２２））は接続ボックス（１６）と接続される。
【００２２】
又は、ｂ）その他の同等のスイッチ、例えばプラズマ放電スイッチなど（１４）はエネルギー蓄積部（図２ｂ（７））と線６Ａを経由して接続され、接続ボックス（図２ｂ（１６））の２つのリード線のうち１つとも接続される。接続ボックス（図２ｂ（１６））の他のリード線は、エネルギー蓄積部（図２ｂ（７））と、高圧及び大電流の容量フレキシブル線(図２ｂ（６Ｂ）)を経由して接続される。前述のプラズマ放電スイッチ（１４）は接続ポイント（Ａ）及び（Ｂ）を通るリード線（５）を経由して、高圧電力ユニットに接続される。同様に、インダクタ（図２ａ、３ａ、３ｂ（２２））が接続ボックス（１６）に接続される。
【００２３】
インダクタ（図３ａ、３ｂ、４ａ、４ｂ（２２））は、超高出力、超高電圧及び超高通電容量の仕様を備えた移送線（１８）からなり、円筒形状の高圧の耐絶縁体（図３ａ、３ｂ、４ａ、４ｂ（１７））によって囲まれる。最終的に、インダクタの移送線（図３ａ、３ｂ、４ａ、４ｂ（１８））は、誘導コイルに接続し、このコイルは１、２又は数個のツイスト（図３ｂ（２１ａ））、又は並行コンダクタ（図３ａ（２１））を備え、これはリング（図３ａ、３ｂ（２０））の高圧絶縁体内に配置される。円筒形状の絶縁体（図３ａ、３ｂ、４ａ、４ｂ（１７））と全体のリングは、図３ａ、３ｂ、４ａ及び４ｂに示されるように、防水性の凹面の本体を構成する。物に対して適切な絶縁性及び保護を提供するために、それらは、リング（図３ａ、３ｂ、４ａ、４ｂ（２０））からの磁力線（図４ａ（２３））の出口をブロックしないで、囲む。リング（２０）の下で、掲示物（２４）はリングの直径よりも好ましくは大きくない距離に配置される。
【００２４】
本発明は次のように機能する。エネルギー蓄積コンデンサ（図２ａ、２ｂ（７））の電圧が、臨界値を超えて増加すると、その後電子スイッチ配列（図２ａ（１４））、又は例えばプラズマスイッチ（図２ｂ（１４））などのその他の同等のスイッチが点火される。それは、適切な作動又はアバランシェ効果の自動作動によって可能であり、このようにして導電性になり、それは減衰波振動電流の生成となる。
【００２５】
減衰及び振動した電流は、電子スイッチ配列（図２（１４））又は例えばプラズマ放電スイッチ（図２ｂ（１４））などのその他の同等のスイッチにおける図５のオシログラムに示されるように、インダクタ（図３ａ、３ｂ（２１））にチャンネルされる。ツイスト（２１ａ）又は並行（２１）コンダクタ（図３ａ、３ｂ、４ａ、４ｂ）の１、２又は数個のコイルターンを備えるインダクタ（２１）が、電流振動磁界流れと同様の交番を生成する。
【００２６】
ユニット（図１（４））からの最後のパルスの放電の後、電子スイッチ（図２ａ（１４））又はプラズマ放電スイッチ（図２ａ（１４））などのその他の同等のスイッチの点火の後、及び最初に停止した後、蓄積部−コンデンサ（図２ａ、２ｂ（７））は実質的に空である。ユニット（４）の脈動中止の間、有効な電力なしで、スイッチの導電性が一時停止する。
【００２７】
配列（図２ａ、２ｂ（１４））は、再度非導電性になり、蓄積部（図２ａ、２ｂ（７））が最高の臨界電圧になるまでユニット（４）によって再び再放電され、新しい導電性の点火が生じる機会を与える。そして、前と同じ方法で、周期が繰り返される。
【００２８】
１、２又は数個のツイスト（図３ｂ（２１ａ））又は並行（図３ａ（２１））コンダクタからなるインダクタコイルの下で、同様の交番電磁流量（図４ａ、４ｂ（２３））が掲示物（図４ａ、４ｂ（２４））を妨害する。周囲の磁界が存在するか否かで、核及び電子スピン（２５）が掲示物（２４）中で再配向され、それらは、マルチＮＭＲ及びＥＰＲ、図５の（２６）、（２７）、（２８）を引き起こし（磁界強度Ｂの多様性のためである）、イオンは誘発され、電荷は全般的に移動される。式ｈν＝γＢｈ／２π、又は誘発された電流の周波数に対応する周波数と一致する共振周波数である要素は、エネルギーの最高量を吸収する。
【００２９】
この方法のエネルギーの減衰波形は、これらの振動の瞬時電力を平均電力よりもかなり大きくさせる。また、ＮＭＲエコー信号は、メイン減衰波振動パルスがサンプル（図５（２６）、（２７）、（２８））を「ヒット」する後に、短時間遅延される。
【００３０】
電圧の衝撃的（即時的）な値に依存する現象が増加する間、例えば、ＮＭＲ及びＥＰＲが強化され（図５（２６）、（２７）、（２８））、又は化学反応のレンダリングが増加される間に、熱効果（振動の平均出力に比例するものである）は制限される。これは、それらが発生するようにデバイスの磁気誘導にさらされるときに、高臨界値上に電気的な「プッシュ」を必要とする。この特定の例は、細胞膜を通過する電荷の移動である。
【００３１】
ＮＭＲの別の例は、熱核反応ケルブランーパパスを発生させるように、ナトリウムＮａ及び酸素Ｏの原子核の活性化である。
【００３２】
11Na23+8O16=19K39+452.787Kcal/mMol
すなわち、原子核の活性化が発生し、続けて核磁気共鳴に対して核反応がなされる。
【００３３】
このように、適切な電気特性のスイッチ配列（図２ａ又は２ｂ（１４））を選択することで、１、２又は数個のツイスト（図３ｂ（２１ａ））又は並行（図３ａ（２１））コンダクタからなるインダクタのための約１μＨの適切な自己誘導Ｌ、電源のための十分な高電圧、ユニット（４）によって生成されるパルスのための適切な周波数、掲示物（図４ａ、４ｂ（２４））中の誘導振動圧が達成される。それは、共振周波数又は共振周波数のスペクトラムによって特徴づけられる。
【００３４】
操作の２つの周期の間に十分な時間がないという事実のために、活性化した原子核を非活性化するために、掲示物（図４ａ、４ｂ（２４））の活性化原子核（２５）及び／又は電子（図４ａ、４ｂ（２５）及び図５（２６）、（２７）、（２８））の量は、デバイスのそれぞれの操作周期の繰り返しの後に増加する。すなわち、インダクタ（図３ａ（２１）又は図３ｂ（２１ａ））を繰り返すことで、エネルギー蓄積コンデンサ（図２ａ、２ｂ（７））の新しいチャージの後に電流供給する。掲示物（図４ａ、４ｂ（２４））の最終結果は、磁界強度とデバイス操作時間の機能である。
【００３５】
イオン移送又は化学及び核反応開始のための本方法の特定の応用に関して、それによって特定の原子核又は電子が反応し又は移送されるが、本発明者の以前の発明１００１７８４／６／２１９９５／ＯＢＩを別として、他の方法は知られていない。
【００３６】
この新しい方法は、それが掲示物（図４ａ、４ｂ（２４））内を干渉し侵入する必要がないため（例えば電極及び／又は化学物質を使う）、また、誘発される電圧が一瞬でとても強くなるため、電子スイッチ配列（図２ａ（１４））又はプラズマスイッチ（図２ｂ（１４））の導電性振動のため、開始電源圧が大きいほど等しくなる必要性がなく、重要である。
【００３７】
本発明者の以前の発明1001784/6/21995/OBIのように、本発明の予測する応用は、広い技術的及び科学的な範囲まで同様に広げられる。ここで、ＮＭＲとＥＰＲでは、手の届かない領域にある電荷、イオン、核及び特定の原子の移動運動が必要とされる。生物、医学、化学の産業で例示されるように、原子力産業では、選択的なエネルギー供給のために、化学及び核反応、化学−核反応の任意の開始、化学−核反応の制御、化学反応の触媒反応へ選択的にエネルギーを供給するためである。これは、エネルギー供給のその他の方法で分けることができない各種の生成物の間で生成物を選択し供給するためであり、核磁気共鳴（及び／又は電子常磁性共鳴）（図５（２６）、（２７）、（２８））での掲示物を活性化するためである。これは、非常に成功して有効的に診断医学の分野で現在用いられている。核磁気共鳴現象は原子核による選択的なエネルギー吸収に基づいてもいる。
【００３８】
このように説明された方法では、生成されたフィールドの強度はとても速く弱くなるため（〜１／ｒ３）、電磁放射（〜１／ｒ２）がフィールドエネルギーのより大きな割合まで生成されない。ここで、ｒはコイル（図４ａ、４ｂ（２１））からの距離である。
【００３９】
フィールドの強度は、磁気双極子のものであり、距離の３倍の出力に反比例し（１／ｒ３）、フィールドの影響が実質的な距離まで広がらず、１／ｒ２則に従って放射されないことを示す事実である。
【００４０】
生成されたフィールド周波数はマイクロ波バンドの周波数の外側になり（より小さくなる）、良い結果である。
【００４１】
明らかに、上述した本方法の提案されたデバイスの実施の形態の変化は、実現可能であるが、それにもかかわらず、妨害された（上述した歳差運動の下で）原子核のスピン及び電子のスピンを回復するときに、第２の補助磁界を、地球の環境磁界とともに援助又は起因するように用いることができる。また、この第２の補助フィールドが一部又は全部で地球の磁界の置換として用いることができ、または、このフィールドは、事実上重複するが、上述した同じ結果を発生するデバイスとともに、新規な振動のために使用可能である点を指摘する。
【００４２】
付録  ケルブラン−パパス核反応エネルギーの計算
ケルブラン−パパス反応のエネルギー変換を計算するために、「化学及び物理のハンドブック」第８２版、（Ｃ）２００１、ＣＲＣ出版ＬＬＣ、１１節、ページ５２、５９から、Ｎａ、Ｏ、Ｋの相対的な同位体の正確な原子量を用いた。
【００４３】
前述の反応からの原子エネルギーの発生は、次式
Ｅ＝ｍｃ２
によって計算される。
【００４４】
Ａ）ナトリウム原子  Na23=22,989769700000、100%の天然存在度。自然界には１つの同位体しかないからである。
【００４５】
Ｂ）酸素原子  同位体O16=15,99491462200(99,757%)、K39 = 38,963706900000に至り、天然存在度が93,2581%である。
【００４６】
同位体O17＝16, 999131500000 (0,038%)、K40 = 39,963998700000に至り、天然存在度が0,0117%である。
【００４７】
同位体O18=17,999160000000 (0,205%)、K41=40,961826000000に至り、天然存在度が6,7302%である。
【００４８】
したがって、Ｏの平均質量＝15,999404927439である。
【００４９】
Ｃ）カリウム原子では、上述からＫ平均値＝38,9637069x99, 957 + 39,9639987 x 0,038 + 40,961826x0,205 = 38, 968182である。
【００５０】
Ｋのブックス平均値＝39, 098300000000である。
【００５１】
Ｄ）エネルギーに変換される質量は、
Ｏ１６で、DM=22,9897697 + 15,994914622-38, 9637069 = 0,000020977422 Kgr/Mol (SI単位系) 99,757%、
Ｏ１７で、DM = 22,9897697 + 16,9991315-38, 969987= 0,00002490125 Kgr/Mol (SI単位系) 0,038%、
Ｏ１８で、DM = 22,9897697 + 17,99916-38, 9681823= 0,0000271037Kgr/Mol (SI単位系) 0,205%
である。これは、光の速度のためにE=DMC2、C=299792458 m/sを用いて、ＮａとＯの全ての同位体のための発熱反応（エネルギー放出）に至り、次のようになる。
【００５２】
Ｅ）パパスの同位体による発熱核反応
11Na23 + 8O16 = 19K39+ 452.484 Kcal/mMol 99,757%
11Na23 + 8O17 = 19K40+ 537.149 Kcal/mMol 0,038%
11Na23 + 8O18 = 19K41+ 584.629 Kcal/mMol 0,205%
【００５３】
Ｆ）計算では、平均エネルギー放出は、11Na + 80 = 19K + 452.787 Kcal/mMolである。
【図面の簡単な説明】
【００５４】
【図１】このブロック図に示す制御ユニット（２）は、開始−停止操作スイッチと、タイマーと、整流作用、電気フィルター及び電流制限ユニット（４）とを有し、その目的としては、電気エネルギーの流れをメイン電源からスイッチ回路配列及びアウトプットコイル−プローブへと提供する。
【図２ａ】この図に示す基本的なプローブの入力回路は、電子スイッチ又はその他のスイッチ配列（１４）を備え、それはインダクタプローブ（２２）に蓄電されるエネルギー蓄積部（７）の放電を制御する。
【図２ｂ】この図は、２ａのその他の同等な回路の同等な変形配列を示す。
【図３ａ】この図に示すインダクタ（２２）は、絶縁体（１７）を備える移送線（１８）と絶縁リング（２０）からなり、そこに設けられている誘導コイル（２１）は、多様な強度の磁界を生成する１、２又は数個の並行コンダクタ（２１）を有する。
【図３ｂ】この図に示すインダクタ（２２）は、絶縁体（１７）を備える移送電力線（１８）と絶縁リング（２０）からなり、そこに設けられている誘導コイル（２１ａ）は１、２又は数個のツイストコンダクタ（２１ａ）を有する。
【図４ａ】この図に示されるインダクタ（２２）は、絶縁体（１７）を備える移送電力線（１８）と絶縁リング（２０）からなり、そこに設けられた誘導コイル（２１）は１、２又は数個のツイスト（２１ａ）又は並行（２１）コンダクタを有し、それは、多様な強度の磁界（２３）を生成し、そこには生物由来物質、具体例としては人体が露出される（２４）。
【図４ｂ】この図に示されるインダクタ（２２）は絶縁体（１７）を備える移送電力線（１８）及び絶縁リング（２０）からなり、そこに設けられた誘導コイル（２１）は、多様な強度の磁界（２３）を生成する１、２又は数個のツイスト（２１ａ）又は並行コンダクタ（２１）を有し、そこにはいずれかの物質（２４）が露出される。また、原子核や陽子や電子がランダムな空間的な配向で示され、露出された物質（２４）の原子（２５）の原子核（２５）及び／又は電子の磁気スピンベクターを示す。
【図５】ＮＭＲ効果の振動は、実際のデバイスによって生成され、１つの誘導磁界のみを用いて、地球の磁界のみの存在で使用しており、説明した本方法を実施する。ＮＭＲサンプルの応答は「スパイク」−ピーク強度信号（２６）、（２７）、（２８）として示される。「Ｘ」軸は時間領域を示す。「Ｙ」軸は相対的なフィールド増幅を示す。（注意）ＮＭＲの軌跡はイベントの終了方向に示される。それらは、メイン減衰波振動パルスがサンプルを最初に「ヒット」する後にいくらかの時間遅延し、エコーとして現れ、既知のＮＭＲ緩和によって正しく予測される。
【図１】
2007526991.tif 000003
【図２ａ】
2007526991.tif 000004
【図２ｂ】
2007526991.tif 000005
【図３ａ】
2007526991.tif 000006
【図３ｂ】
2007526991.tif 000007
【図４ａ】
2007526991.tif 000008
【図４ｂ】
2007526991.tif 000009
【図５】
2007526991.tif 000010
【手続補正書】
【提出日】平成18年3月1日(2006.3.1)
【手続補正１】
【補正対象書類名】特許請求の範囲
【補正対象項目名】全文
【補正方法】変更
【補正の内容】
【特許請求の範囲】
【請求項１】
ＮＭＲ及びＥＰＲでのイオン及び原子の多重活性化のための方法であって、
短い持続時間で大電流のスイッチが＜１０μＨの自己誘導であり、
インダクタを前記短い持続時間で大電流のスイッチに接続し、さらに前記インダクタは数個のコンダクタのコイルを有し、
パルス化、減衰波、交番磁界を形成するために、地球の磁界の存在で、前記インダクタを通して、小さな＜０．１ミリ秒の持続時間で、大きな＞１００００アンペアの電流をスイッチし、
物質の核／電子のスピン配向を摂動するために、脈動、減衰波、交番磁界を前記物質にあてることを特徴とする方法。
【請求項２】
請求項１に記載された方法であって、前記インダクタは１又は２個の並行コンダクタを有するコイルをさらに備えることを特徴とする方法。
【請求項３】
請求項１に記載された方法であって、前記インダクタは１又は２個のツイストコンダクタを有するコイルをさらに備えることを特徴とする方法。
【請求項４】
請求項１に記載された方法であって、前記短い持続時間で大電流のスイッチは、電子スイッチ、半導体スイッチ、プラズマスイッチ、及びスパークギャップスイッチからなるグループから選択されることを特徴とする方法。
【請求項５】
ＮＭＲ及びＥＰＲでのイオン及び原子の多重活性化のためのシステムであって、
電源と、
前記電源に接続されたコンデンサ蓄積部と、
前記コンデンサ蓄積部に接続され短い持続時間で大電流であり、適切に作動又は自動作動されるスイッチと、
数個のコンダクタを備えるコイルを形成し、短い時間で大連流を地球の磁界の存在で生成するために経由されるインダクタと、を有し、
前記インダクタは物質の核／電子のスピン配向を摂動するために適した減衰波交番磁界を生成することを特徴とするシステム。
【請求項６】
請求項５に記載されたシステムであって、前記インダクタは１又は２個の並行コンダクタを有するコイルをさらに備えることを特徴とするシステム。
【請求項７】
請求項５に記載されたシステムであって、前記インダクタは１又は２個のツイストコンダクタを有するコイルをさらに備えることを特徴とするシステム。
【請求項８】
請求項５に記載されたシステムであって、前記短い持続時間で大電流のスイッチは、電子スイッチ、半導体スイッチ、プラズマスイッチ、及びスパークギャップスイッチからなるグループから選択されることを特徴とするシステム。
【請求項９】
請求項５に記載されたシステムであって、地球の環境磁界とともに寄与する第２の誘導電磁界をさらに備えることを特徴とするシステム。
【請求項１０】
ＮＭＲ及びＥＰＲでのイオン及び原子の多重活性化のための方法であって、
コンデンサ蓄積部を電源に接続し、
短い持続時間で大電流のスイッチを前記コンデンサ蓄積部に接続させ、前記スイッチは適切に作動又は自動作動され、特徴的な振動周波数を有し、
インダクタコイルを形成し、
前記スイッチの特徴的な振動周波数で及び地球の磁界の存在で短い持続時間で大電流を前記インダクタを通して生成し、
物質の基本的な原子の粒子のスピンの配向を摂動するために適し、前記インダクタでの強度Ｂを有する減衰波、交番磁界を生成することを特徴とする方法。
【請求項１１】
請求項１０に記載された方法であって、前記物質の基本的な原子の粒子は中性子、陽子及び電子であり、前記基本的な粒子によるエネルギー吸収はこれらの粒子がｈν＝γＢｈ／２ｐに対応する共振周波数を有することで最大になることを特徴とする方法。
【請求項１２】
請求項１０に記載された方法であって、前記磁界は、核磁気共鳴（ＮＭＲ）を通して生物の核変換を開始するように生物組織にあてられることを特徴とする方法。
【請求項１３】
請求項１０に記載された方法であって、前記磁界は化学反応の触媒反応を開始するように生物組織中にあてられ、結果として化学物質は電子常磁性共鳴（ＥＰＲ）を通して変化することを特徴とする方法。
【請求項１４】
請求項１１に記載された方法であって、前記磁界は生物組織中にあてられ、結果としてエネルギー吸収によって生物組織中にイオン形成、及び前述の細胞膜を横断する荷電部分の移動によって電流生成を引き起こすことを特徴とする方法。
【国際調査報告】
2007526991.tif 000011
2007526991.tif 000012